(57)【要約】【目的】 メモリ・カードの画像データを記憶でき，かつコンピュータ装置に出力できるスキャナにおいて，原稿の画像を表す画像データの出力先が一見して分かるようにする。【構成】 スキャナの表示画面２０に画像データ出力先表示領域２１を設ける。表示領域２１にはスキャナにメモリ・カードが装着されているときには，メモリ・カードが表示され，コンピュータ装置が接続されているときには，コンピュータ装置が表示される。画像データの出力先が指定されると，指定された出力先の表示が枠６０で囲まれる。枠６０で囲まれた表示が画像データの出力先であり，一見して画像データの出力先が分かる。【選択図】  図２
2006166488.tif 000002
【特許請求の範囲】
【請求項１】
対象画像を撮像し，対象画像を表す画像データを出力する撮像手段，
与えられる画像データを記憶する画像データ記憶手段，
与えられる画像データを外部に出力する外部出力ポート，
上記撮像手段から出力された画像データを上記画像データ記憶手段に与えることと上記外部出力ポートに与えることとのいずれかを選択する第１の選択手段，
上記第１の選択手段による選択に応じて上記撮像手段から出力された画像データを上記画像データ記憶手段または上記外部出力ポートに与える切替スイッチ，および
上記撮像手段から出力された画像データを上記画像データ記憶手段に与えることまたは上記外部出力ポートに与えることのどちらが上記第１の選択手段によって選択されたかに関する情報を表示する表示装置，
を備えたスキャナ。
【請求項２】
オート・モードを設定するオート・モード選択手段，ならびに
上記オート・モード選択手段によってオート・モードが設定されたときには，あらかじめ定められた優先順位にもとづいて上記切替スイッチにおける切替制御および上記表示装置の表示制御を行なうように上記切替スイッチおよび上記表示装置を制御する制御手段，
を備えた請求項１に記載のスキャナ。
【請求項３】
上記外部出力ポートがスキャナの外部から与えられる画像データをスキャナ内部に取り込むことも可能な入出力ポートであり，
上記切替スイッチが，上記入出力ポートと上記画像データ記憶手段との間で画像データの伝送が可能に切替可能なものであり，
上記入出力ポートに外部から与えられた画像データを上記画像データ記憶手段に与えることと上記画像データ記憶手段に記憶されている画像データを読出し，上記入出力ポートに与えることとのいずれかを選択する第２の選択手段，
上記第２の選択手段による選択に応じて，上記入出力ポートに与えられた画像データを上記画像データ記憶手段に与えることまたは上記画像データ記憶手段に記憶されている画像データを読出し，上記入出力ポートに与えることとを切替えるように上記切替スイッチを制御する切替制御手段，および
上記第２の選択手段による選択に応じて，上記入出力ポートと上記画像データ記憶手段との間での画像データの伝送が選択されたことに関する情報を表示装置に表示させる第１の表示制御手段，
を備えた請求項１に記載のスキャナ。
【請求項４】
上記外部出力ポートに，画像データ処理装置が接続されているかどうかを検出する画像データ処理装置接続検出手段，および
上記画像データ処理装置接続検出手段による接続の検出の有無に応じて，上記画像データ処理装置の接続の有無に関する情報を表示装置に表示させる第２の表示制御手段，
を備えた請求項１に記載のスキャナ。
【請求項５】
上記画像データ記憶手段がスキャナに着脱自在な画像メモリであり，
スキャナに，上記画像メモリが装着されているかどうかを検出する画像メモリ装着検出手段，および
上記画像メモリ装着検出手段による装着の検出の有無に応じて，上記画像メモリの装着の有無に関する情報を表示装置に表示させる第３の表示制御手段，
を備えた請求項１に記載のスキャナ。
【請求項６】
上記撮像手段から出力された画像データを確認するデータ圧縮手段，および
上記第１の選択手段により画像データを上記画像データ記憶手段に与えることが選択されたときには，上記第１の選択手段により画像データを上記外部出力ポートに与えることが選択されたときに比べて高い圧縮率で画像データを圧縮するように上記データ圧縮手段を制御する圧縮制御手段を備え，
上記切替スイッチは，上記第１の選択手段による選択に応じて上記データ圧縮手段によって圧縮された画像データを上記画像データ記憶手段または上記外部出力ポートに与えるものである，
請求項１に記載のスキャナ。
【請求項７】
対象画像を撮像し，対象画像を表す画像データを出力する撮像手段，与えられる画像データを記憶する画像データ記憶手段および与えられる画像データを外部に出力する外部出力ポートを備えたスキャナにおいて，
上記撮像手段から出力された画像データを上記画像データ記憶手段に与えることと上記外部出力ポートに与えることとのいずれかを選択し，
選択に応じて上記撮像手段から出力された画像データを上記画像データ記憶手段または上記外部出力ポートに与え，
上記撮像手段から出力された画像データを上記画像データ記憶手段に与えることまたは上記外部出力ポートに与えることのどちらが選択されたかに関する情報を表示する，
スキャナの制御方法。
【請求項８】
オート・モードを設定可能とし，
上記オート・モードが設定されたときには，あらかじめ定められた優先順位にもとづいて上記切替スイッチにおける切替制御および上記表示装置の表示制御を行なう，
請求項７に記載のスキャナの制御方法。
【請求項９】
上記外部出力ポートがスキャナの外部から与えられる画像データをスキャナ内部に取り込むことも可能な入出力ポートであり，
上記切替スイッチが，上記入出力ポートと上記画像データ記憶手段との間で画像データの伝送が可能に切替可能なものであり，
上記入出力ポートに外部から与えられた画像データを上記画像データ記憶手段に与えることと上記画像データ記憶手段に記憶されている画像データを読出し，上記入出力ポートに与えることとのいずれかを選択し，
選択に応じて，上記入出力ポートに与えられた画像データを上記画像データ記憶手段に与えることまたは上記画像データ記憶手段に記憶されている画像データを読出し，上記入出力ポートに与えることとを切替えるように切替制御し，
選択に応じて，上記入出力ポートと上記画像データ記憶手段との間での画像データの伝送が選択されたことに関する情報を表示装置に表示する，
請求項７に記載のスキャナの制御方法。
【請求項１０】
上記外部出力ポートに，画像データ処理装置が接続されているかどうかを検出し，
接続の検出の有無に応じて，上記画像データ処理装置の接続の有無に関する情報を表示装置に表示する，
請求項７に記載のスキャナの制御方法。
【請求項１１】
上記画像データ記憶手段がスキャナに着脱自在な画像メモリであり，
スキャナに，上記画像メモリが装着されているかどうかを検出し，
装着の検出の有無に応じて，上記画像メモリの装着の有無に関する情報を表示装置に表示する，
請求項７に記載のスキャナの制御方法。
【請求項１２】
上記第１の選択手段により画像データを上記画像データ記憶手段に与えることが選択されたときには，上記第１の選択手段により画像データを上記外部出力ポートに与えることが選択されたときに比べて高い圧縮率で画像データを圧縮し，
選択に応じてデータ圧縮された画像データを上記画像データ記憶手段または上記外部出力ポートに与えるものである，
請求項７に記載のスキャナの制御方法。
【発明の詳細な説明】
【技術分野】
【０００１】
この発明は，対象画像を撮像し，この対象画像を表す画像データを出力するスキャナおよびその制御方法に関する。
【背景技術】
【０００２】
写真などの原稿（対象画像）を画像データとしてコンピュータ装置に取り込むにはスキャナが利用される。スキャナに含まれる撮像素子としてのライン・センサによって原稿が撮像される。原稿の画像を表す画像データがスキャナから出力ポートを通して出力され，コンピュータ装置に与えられ，記憶される。
【０００３】
コンピュータ装置と接続可能なスキャナはコンピュータ装置と接続されることによってその機能を発揮するものである。コンピュータ装置と切り放してスキャナ単体では原稿を読み取ることはできないのが一般的である。
【０００４】
このために，画像データを記憶するメモリをスキャナに備え，画像データを出力ポートから出力することのほかにメモリに画像データを記憶させることが可能なスキャナも開発されつつある。
【０００５】
メモリへの画像データの記憶と画像データの出力とが可能であると，読み取っている原稿を表す画像データをメモリに記憶しているのか，スキャナから出力しているのか一見しては分からないことがある。
【発明の開示】
【０００６】
この発明は，メモリへの画像データの記憶と画像データの出力とが可能なスキャナにおいて，読み取っている原稿を表す画像データをメモリに記憶しているのか，スキャナから出力しているのかを一見して分かるようにすることを目的とする。
【０００７】
この発明によるスキャナは，対象画像を撮像し，対象画像を表す画像データを出力する撮像手段，与えられる画像データを記憶する画像データ記憶手段，与えられる画像データを外部に出力する外部出力ポート，上記撮像手段から出力された画像データを上記画像データ記憶手段に与えることと上記外部出力ポートに与えることとのいずれかを選択する第１の選択手段，上記第１の選択手段による選択に応じて上記撮像手段から出力された画像データを上記画像データ記憶手段または上記外部出力ポートに与える切替スイッチ，および上記撮像手段から出力された画像データを上記画像データ記憶手段に与えることまたは上記外部出力ポートに与えることのどちらが上記第１の選択手段によって選択されたかに関する情報を表示する表示装置を備えていることを特徴とする。
【０００８】
この発明は，上記スキャナに適した方法も提供している。すなわち，対象画像を撮像し，対象画像を表す画像データを出力する撮像手段，与えられる画像データを記憶する画像データ記憶手段および与えられる画像データを外部に出力する外部出力ポートを備えたスキャナにおいて，上記撮像手段から出力された画像データを上記画像データ記憶手段に与えることと上記外部出力ポートに与えることとのいずれかを選択し，選択に応じて上記撮像手段から出力された画像データを上記画像データ記憶手段または上記外部出力ポートに与え，上記撮像手段から出力された画像データを上記画像データ記憶手段に与えることまたは上記外部出力ポートに与えることのどちらが選択されたかに関する情報を表示するスキャナの制御方法である。
【０００９】
この発明によると，対象画像を撮像することによって得られる画像データは上記画像データ記憶手段に記憶でき，かつ上記外部出力ポートから外部に出力することが可能である。上記外部出力ポートは画像データ処理装置（コンピュータ装置）と接続され，上記外部出力ポートから出力された画像データはコンピュータ装置に入力し，記憶されることとなろう。
【００１０】
上記第１の選択手段によって撮像により得られた画像データを上記画像データ記憶手段に記憶するか，または上記外部出力ポートから出力するかが選択される。この選択に応じて，撮像によって得られた画像データが上記画像データ記憶手段に記憶されるか外部出力ポートから出力される。
【００１１】
さらに，表示装置には上記第１の選択手段によって，撮像により得られた画像データを上記画像データ記憶手段に与えることが選択されたか，上記外部出力ポートに与えることが選択されたかに関する情報が表示装置に表示される。表示装置の表示を見るだけで，撮像によって得られた画像データが上記画像データ記憶手段に記憶されるのか，上記外部出力ポートから出力されるのかが一見して分かる。
【００１２】
好ましくは，オート・モードを設定するモード設定手段を設け，上記モード設定手段によってオート・モードが設定されたときには，あらかじめ定められた優先順位にもとづいて上記切替スイッチにおける切替制御および上記表示装置の表示制御を行なうことを特徴とする。
【００１３】
オート・モードにおける優先順位は例えば次のように規定され，この優先順位にもとづいて上記切替スイッチにおける切替制御および上記表示装置の表示制御が行われる。
【００１４】
画像データ記憶手段がスキャナに着脱自在なメモリであり，そのようなメモリがスキャナに装着されているときには，撮像によって得られた画像データがメモリに記憶される。着脱自在なメモリがスキャナに装着されている場合であっても，スキャナが上記外部出力ポートを介してコンピュータ装置と接続されており，コンピュータ装置からのコマンドにもとづいて対象画像の撮像を行なう場合には，撮像によって得られた画像データは上記外部出力ポートに与えられる。
【００１５】
メモリが着脱自在なスキャナであり，スキャナにメモリが装着されていないときには，撮像によって得られた画像データは外部出力ポートに与えられる。また，メモリが装着されていず，スキャナにコンピュータ装置も装着されていないときには対象画像の撮像を停止する。
【００１６】
上記の場合にはメモリがスキャナに装着されていることを検知するスイッチ，コンピュータ装置がスキャナと接続されていることを検知する手段がスキャナに設けられよう。
【００１７】
さらに好ましくは，上記外部出力ポートがスキャナの外部から与えられる画像データをスキャナ内部に取り込むことも可能な入出力ポートであり，上記切替スイッチが，上記入出力ポートと上記画像データ記憶手段との間で画像データの伝送が可能に切替可能なものであり，上記入出力ポートに外部から与えられた画像データを上記画像データ記憶手段に与えることと上記画像データ記憶手段に記憶されている画像データを読出し，上記入出力ポートに与えることとのいずれかを選択し，選択に応じて，上記入出力ポートに与えられた画像データを上記画像データ記憶手段に与えることまたは上記画像データ記憶手段に記憶されている画像データを読出し，上記入出力ポートに与えることとを切替えるように切替制御し，選択に応じて，上記入出力ポートと上記画像データ記憶手段との間での画像データの伝送が選択されたことに関する情報を表示装置に表示する。
【００１８】
スキャナに接続されたコンピュータ装置から上記入出力ポートを介して画像データが与えられ，与えられた画像データを画像データ記憶手段に記憶させることができる。また，上記画像データ記憶手段に記憶されている画像データを読出し，上記入出力ポートに与え，この入出力ポートからコンピュータ装置に画像データを出力することができる。
【００１９】
この場合であっても，上記入出力ポートと上記画像データ記憶手段との間で画像データの伝送が選択されたことに関する情報が表示装置に表示される。スキャナとスキャナに接続されたコンピュータ装置との間で画像データの伝送が行われることが一見して分かる。
【００２０】
さらに好ましくは，上記外部出力ポートに，画像データ処理装置が接続されているかどうかを検出し，接続の検出の有無に応じて，上記画像データ処理装置の接続の有無に関する情報を表示装置に表示する。また，上記画像データ記憶手段がスキャナに着脱自在な画像メモリであれば，上記画像メモリが装着されているかどうかを検出し，装着の検出の有無に応じて，上記画像メモリの装着の有無に関する情報を表示装置に表示する。
【００２１】
表示装置を見るだけで，上記外部出力ポートに画像データ処理装置が接続されているかどうか，着脱自在な画像メモリが装着されているかどうかが一見してわかる。
【００２２】
上記第１の選択手段により画像データを上記画像データ記憶手段に与えることが選択されたときには，上記第１の選択手段により画像データを上記外部出力ポートに与えることが選択されたときに比べて高い圧縮率で画像データを圧縮し，選択に応じてデータ圧縮された画像データを上記画像データ記憶手段または上記外部出力ポートに与えるものが好ましい。
【００２３】
メモリ・カード（画像データ記憶手段）の記憶容量は比較的少ない。これに対して上記外部出力ポートに接続されている画像データ処理装置の記憶容量は大きい。メモリ・カードに画像データを記憶させるときには上記外部出力ポートに画像データを出力するときに比べて高い圧縮率でデータ圧縮するのでメモリ・カードに記憶できる実質的な画像データ量が増加する。
【実施例】
【００２４】
図１はケーブルによって接続されたスキャナ１０とコンピュータ装置１とを示している。
【００２５】
コンピュータ装置１にはＣＲＴ表示装置２，キーボード５およびマウス６が接続されている。コンピュータ装置１には，ＦＤ７の挿入口３およびＣＤ−ＲＯＭ８の挿入口４が形成されている。
【００２６】
スキャナ１０は，原稿を撮像して原稿に表された画像の画像データを出力しケーブルで接続されたコンピュータ装置１に記憶させることができる。またスキャナ１０はメモリ・カード５０の装着が可能であり，装着されたメモリ・カード５０に画像データを記憶することができる。
【００２７】
スキャナ１０の前面の右下隅には，メモリ・カード５０の挿入口１２が形成されている。また，スキャナ１０の前面には，スキャナ１０の前面の横方向のほぼ全部にわたって原稿の挿入口１１が形成されている。スキャナ１０の後面にはスキャナ１０によって読み取られた原稿を放出する放出口（図示略）が形成されている。さらに，スキャナ１０の後面には放出口から放出された原稿を受け取るためのトレイ１７が設けられている。
【００２８】
スキャナ１０の上面にはほぼ全域に表示画面２０が形成されている。スキャナ１０の上面の左端部には回転自在なスクロール・スイッチ１６が設けられている。さらに，スキャナ１０の上面の手前右隅には，原稿の読み取りをスタートおよびストップするためのスタート・ストップ・スイッチ１５が形成されており，上面の手前左隅にはスキャナ１０の各種モードを設定するためのモード設定スイッチ１３ならびにメモリ・カード５０に記憶された画像データの再生指令および消去指令を与えるスイッチ１４が形成されている。
【００２９】
図２にスキャナ１０の平面図が示されている。この図においてトレイ１７は図示が省略されている。
【００３０】
表示画面２０には，表示画面２０のほぼ全部にわたって画像表示領域２３が形成されている。この画像表示領域２３には，スキャナ１０によって読み取られている原稿に表された画像が，原稿の読み取りに合わせて表示される。
【００３１】
表示画面２０の左端部には，画像データの出力先を表す出力先表示領域２１が含まれている。出力先表示領域２１には後述のように，モード設定スイッチ１３によってオート・モードが設定されているときにその旨を表示する領域２５，スキャナ１０にメモリ・カード５０が装着されているときにメモリ・カード５０のアイコンが表示される領域２６，スキャナ１０にコンピュータ装置１が接続されているときにコンピュータ装置のアイコンが表示される領域２７およびダイレクト・アクセス（コンピュータ装置１から画像データを出力し，スキャナ１０に装着されているメモリ・カード５０に画像データを記憶させるもの，またはスキャナ１０に装着されているメモリ・カード５０に記憶されている画像データを読取り，スキャナ１０に接続されているコンピュータ装置１に画像データを出力するもの）が選択されているときに画像データの出力先を表す矢印が表示される領域２８が含まれている。
【００３２】
さらに，この実施例によるスキャナでは読み取った原稿が表す画像の画像データを，圧縮率の低い低圧縮と圧縮率の高い高圧縮との２段階で圧縮することができる。画像データが圧縮されて読み取られているか，圧縮されて読み取られていればその圧縮が低圧縮か高圧縮かの情報が表示画面２０に表示される。また，ダイレクト・アクセスが設定されているときにはその情報も表示画面２０に表示される。再生／消去スイッチ１４によって画像データの消去が設定されているときにはその情報も表示画面２０に表示される。
【００３３】
また，表示画面２０にはスキャナ１０に装着されているメモリ・カード５０の残容量を表わす表示部２２も形成されている。
【００３４】
図３は，スキャナ１０の電気的構成を示すブロック図である。
【００３５】
スキャナ１０の全体の動作は，制御装置３０によって統括される。
【００３６】
スキャナ１０に形成されている各種スイッチの設定を表す信号は制御装置３０に入力する。
【００３７】
挿入口１１に原稿が挿入され，光源３１によって原稿が照射される。制御装置３０によって制御される機械制御装置４１により一定の速度で原稿が送られる。スキャナ１０の横方向ライン・センサ３２が設けられている。このライン・センサ３２によって，一定速度で送られている原稿が撮像され，原稿の画像を表す画像データがライン・センサ３２から出力される。
【００３８】
ライン・センサ３２から出力された画像データは表示装置２０（分かりやすくするために，表示装置も表示画面と同じ符号を付する）および画像圧縮回路３３に与えられる。
【００３９】
画像表示装置２０にはバッファ・メモリ２４が接続されている。このバッファ・メモリ２４は，数行分に相当する画像を表す画像データを記憶できる容量をもつ。表示装置２０に入力した画像データはバッファ・メモリ２４に与えられ，順次更新されていく。バッファ・メモリ２４に記憶されている画像データが読み出されることにより，バッファ・メモリ２４に記憶されている画像データによって表される数行分に相当する画像が画像表示領域２３に表示される。
【００４０】
画像データの圧縮率は後述のようにスクロール・スイッチ１６によって設定される。画像圧縮回路３３に入力した画像データは，スクロール・スイッチ１６によって設定された圧縮率にしたがって圧縮される。画像圧縮回路３３によって圧縮された画像データは，切替回路３４に与えられる。もっとも画像データの出力先に応じて，画像圧縮回路３３における圧縮率を決定するようにしてもよい。メモリ・カード５０の容量は比較的少ないので，画像データをメモリ・カード５０に記憶するときには高圧縮とされ，画像データをコンピュータ装置１に出力するときには低圧縮（または非圧縮）とされよう。
【００４１】
スキャナ１０は，上述のように読み取った原稿の画像データのコンピュータ装置１への出力およびメモリ・カード５０への記憶が可能である。画像データをコンピュータ装置１に送信するためにスキャナ１０にはインターフェイス３５が設けられている。また上述のように，メモリ・カード５０の挿入口１２がスキャナ１０に形成されている。切替回路３４は，画像圧縮回路３４から出力された画像データをインターフェイス３５に与えることと，メモリ・カード挿入口１２に与えることとを，制御装置３０からの切替制御信号にもとづいて切り換える。さらに，切替回路３４はインターフェイス３５とメモリ・カード挿入口１２との間で画像データの送信が相互に可能なように切り換えられる。
【００４２】
さらに，スキャナ１０にはインターフェイス３５にケーブルが装着され，スキャナ１０とコンピュータ装置１０とが接続されたことを検出するコンピュータ接続検出回路３６が設けられている。コンピュータ接続検出回路３６からの接続検出信号は制御装置３０に入力する。
【００４３】
また，スキャナ１０には，メモリ・カード挿入口１２にメモリ・カード５０が装着されていることを検知するメモリ・カード装着検知スイッチ３７がもうけられている。メモリ・カード５０には画像データの書き込みを禁止するライト・プロテクト機能があり，スキャナ１０に装着されたメモリ・カード５０が画像データの書込みが禁止されているものかどうかを検出する書込み禁止検出回路３８も設けられている。メモリ・カード装着禁止回路３７から出力される検知信号および書込み禁止検出回路３８から出力される検出信号は，制御装置３０に入力する。
【００４４】
スキャナ１０には圧縮された画像データを伸長する画像データ伸長回路３９が含まれている。メモリ・カード５０に圧縮された画像データが記憶されており，非圧縮の画像データをコンピュータ装置１に送信する場合には画像データ伸長回路３９においてデータ伸長した上でコンピュータ装置１に送信することができる。
【００４５】
スキャナ１０には電源４０が含まれており，この電源４０からの供給電圧によりスキャナ１０に含まれる各回路が動作する。
【００４６】
図４は，スキャナ１０の状態遷移図を示している。
【００４７】
スキャナ１０は，スキャナ１０のコンセント（図示略）をコンセントの差し込み口に差し込むことにより電源がオンとなる。
【００４８】
スキャナ１０の電源がオンとなると，スキャナ１０は一旦リセットされ，各種スイッチ１３，１４，１５および１６からの入力待ちの状態となる。
【００４９】
リセットされたあとコンピュータ装着検出回路３６からの検出信号およびメモリ・カード装着検出スイッチ３７からの検出信号が制御装置３０に入力し，これらの検出信号にもとづいてスキャナ１０にコンピュータ装置１が接続されているか，スキャナ１０にメモリ・カード５０が装着されているかどうかが検出される。スキャナ１０にコンピュータ装置１が接続されていないときまたはスキャナ１にメモリ・カード５０が装着されていないときにはいずれもその旨が画像表示領域２３に表示される。また必要であれば，警告音も出力される。
【００５０】
モード・スイッチ１３が一度押されると，画像データの出力先を指定する画像出力先指定モードとなる。画像出力先モードとなっている状態でスクロール・スイッチ１６を動かすことにより，出力先表示領域２１内の領域２６と領域２７との間を枠６０が移動する。この枠６０によって囲まれているメモリ・カードまたはコンピュータ装置が撮像によって得られた画像データの出力先を表わしている。また，画像データの出力先を自動に決定するオート・モードもあり，このオート・モードもスクロール・スイッチ１６の操作により指定することができる。オート・モードが指定されたときにはあらかじめ定められた優先順位にしたがって画像データの出力先が決定する。
【００５１】
例えば，スキャナ１０にメモリ・カード５０が装着されているときには画像デーがメモリ・カード５０に記憶されるように切替回路３４が切替られる。メモリ・カード５０がスキャナ１０に装着されている場合でも，スキャナ１０がコンピュータ装置１と接続されており，コンピュータ装置１からのコマンドによりスキャナ１０が原稿の撮像を行なう場合には，撮像によって得られた画像データがインターフェイス３５を介してコンピュータ装置１に入力するように切替回路３４が制御される。スキャナ１０にコンピュータ装置１が接続されており，メモリ・カード５０がスキャナ１０に装着されていないときには画像データはコンピュータ装置１に入力するように切替回路３４が切替制御される。スキャナ１０にコンピュータ装置１が接続されていず，かつメモリ・カード５０も装着されていないときには，原稿の撮像は停止する。
【００５２】
上述のようにスキャナ１０は，ダイレクト・アクセスが可能である。ダイレクト・アクセスにもとづいてコンピュータ装置１から出力された画像データをスキャナ１０に装着されているメモリ・カード５０に記憶させるように画像データの出力先の指定およびメモリ・カード５０に記憶されている画像データをスキャナ１０に接続されているコンピュータ装置１に出力させるように画像データの出力先の指定を表す場合にはメモリ・カードのアイコンとコンピュータ装置のアイコンとの両方のアイコンが枠で囲まれ，かつ画像データの出力先が矢印で示される。
【００５３】
スクロール・スイッチ１６によって選択される画像データの出力先またはオート・モードによって決定される画像データの出力先のコンピュータ装置１またはメモリ・カードが接続または装着されていないときには表示または音による警告が行われる。
【００５４】
モード・スイッチ１３がもう一度押されると，画像データの圧縮率の設定モードに移行する。圧縮率の設定も画像データの出力先の設定と同様にスクロール・スイッチ１６によって行われる。スクロール・スイッチ１６を動かすことにより，表示画面上に，非圧縮，低圧縮または高圧縮のいずれかが表示される。いずれかが表示画面２０に表示されているときにもう一度モード・スイッチ１６が押されることにより画像データの圧縮率が決定する。
【００５５】
このようにして画像データの出力先が決定され，かつ圧縮率が設定されると再び各種スイッチからの入力待ちの状態となる。
【００５６】
画像データの出力先としてメモリ・カード５０を指定したにもかかわらず，スキャナ１０にメモリ・カード５０が装着されていないときまたは画像データの出力先としてコンピュータ装置１を指定したにもかかわらず，スキャナ１０にコンピュータ装置１が接続されていないときには表示または音による警告が行われる。
【００５７】
再生／消去スイッチ１４が押されると，スキャナ１０に装着されているメモリ・カード５０に記憶されている画像データの再生が行われる。再生された画像データは，表示装置２０に与えられ画像が表示される。また，再生／消去スイッチ１４が一定時間よりも長い間押されると，スキャナ１０に装着されているメモリ・カード１０に記憶されている画像データが消去される。
【００５８】
スタート・ストップ・スイッチ１５が一度押されると，スキャナ１０に挿入された原稿の撮像動作が開始する。以下は画像データの出力先としてメモリ・カードが指定されたものとする。
【００５９】
原稿の撮像動作が行われ，撮像によって得られた画像データがメモリ・カード５０に記憶される。原稿の撮像動作が終了すると原稿挿入口１１から挿入された原稿が放出トレイ１７に放出される。放出トレイ１７に原稿が放出されると，再び各種スイッチの入力待ちの状態となる。
【００６０】
原稿の撮像動作中に，スキャナ１０に装着されていたメモリ・カード５０が抜かれると，原稿の撮像が中止され，表示および音による警告が行われて機械制御回路４１により原稿が早送りされ放出トレイ１７に放出される。
【００６１】
原稿の撮像中にスタート・ストップ・スイッチ１５が一回押されると，このスイッチ１５が押されるまでの間に撮像された画像を表す画像データがスキャナ１０に装着されているメモリ・カード５０に記憶される。また，原稿の撮像動作中にメモリ・カード５０の容量が一杯となり画像データの記憶ができなくなったときには，表示および音による警告を行い，メモリ・カード５０に記憶できるまで画像データをメモリ・カード５０に記憶し，原稿を放出する。
【００６２】
原稿の撮像中にスタート・ストップ・スイッチ１５が一定時間内に２回押されると，撮像によって得られた画像データをメモリ・カード５０から消去する。この消去のあとに原稿が放出トレイ１７から放出される。
【００６３】
図５（Ａ）から（Ｅ），図６（Ａ）から（Ｅ），図７（Ａ）から（Ｅ）および図８（Ａ）から（Ｅ）はそれぞれスキャナ１０の表示画面２０上の出力先表示領域２１に表示される表示の態様を示している。出力先表示領域２１にはスキャナ１０にメモリ・カード５０が装着されているときにメモリ・カード５０のアイコンが表示され，スキャナ１０にコンピュータ装置１が接続されているときにコンピュータ装置１のアイコンが表示される。
【００６４】
図５（Ａ）から（Ｅ）は，スキャナ１０にコンピュータ装置１が接続されており，かつスキャナ１０にメモリ・カード５０が装着されているときの表示の態様を示している。この場合には，出力先表示領域２１の領域２６にはメモリ・カードのアイコンが表示され，領域２７にはコンピュータ装置のアイコンが表示される。
【００６５】
（Ａ）は，画像データの出力先としてコンピュータ装置１が指定されたときの表示の態様であり，画像データがコンピュータ装置１に出力されることが分かるように，コンピュータ装置１が枠６０によって囲まれている。
【００６６】
（Ｂ）は，画像データの出力先としてメモリ・カード５０が指定されたときの表示の態様であり，画像データがメモリ・カード５０に出力されることが分かるように，メモリ・カード５０が枠６０によって囲まれている。
【００６７】
（Ｃ）は，オート・モードのときに画像データの出力先がメモリ・カード５０に決定されたときの表示の態様である。
【００６８】
（Ｄ）は，ダイレクト・アクセスにおいてメモリ・カード５０に記憶されている画像データをコンピュータ装置１に出力するときの表示の態様である。
【００６９】
（Ｅ）はダイレクト・アクセスにおいてコンピュータ装置１から出力された画像データをメモリ・カード５０に記憶させるときの表示の態様である。
【００７０】
図６（Ａ）から（Ｅ）は，スキャナ１０にメモリ・カード５０が装着されているが，コンピュータ装置１は接続されていないときの画像データ出力先表示領域２１の表示の態様を示している。図７（Ａ）から（Ｅ）は，スキャナ１０にコンピュータ装置１が接続されているが，メモリ・カード５０は装着されていないときの出力先表示領域２１の表示の態様を示している。図８（Ａ）から（Ｅ）は，スキャナ１０にコンピュータ装置１が接続されていず，かつメモリ・カード５０も装着されていないときの出力先表示領域２１の表示の態様を示している。
【００７１】
これらの図において，いずれも（Ａ）は画像データの出力先としてコンピュータ装置１が指定されたときの表示の態様であり，（Ｂ）は画像データの出力先としてメモリ・カード５０が指定されたときの表示の態様であり，（Ｃ）は，オート・モードが指定されたときの表示の態様であり，（Ｄ）は，ダイレクト・アクセスにおいて出力先としてコンピュータ装置１が指定されたときの表示の態様である。（Ｅ）は，ダイレクト・アクセスにおいて出力先としてメモリ・カード５０が指定されたときの表示の態様である。
【００７２】
装着されていないメモリ・カード５０または接続されていないコンピュータ装置１が画像データの出力先として指定されたときには上述のように警告が行われる。
【図面の簡単な説明】
【００７３】
【図１】コンピュータ装置とスキャナとが接続されている様子を示している。
【図２】スキャナの平面図である。
【図３】スキャナの電気的構成を示すブロック図である。
【図４】スキャナの動作を示す状態遷移図である。
【図５】（Ａ）から（Ｅ）は，画像データ出力先領域の表示の態様を示している。
【図６】（Ａ）から（Ｅ）は，画像データ出力先領域の表示の態様を示している。
【図７】（Ａ）から（Ｅ）は，画像データ出力先領域の表示の態様を示している。
【図８】（Ａ）から（Ｅ）は，画像データ出力先領域の表示の態様を示している。
【符号の説明】
【００７４】
１ コンピュータ装置
１０ スキャナ
１３ モード設定スイッチ
１４ 再生／消去スイッチ
１５ スタート・ストップ・スイッチ
２０ 表示画面
２１ 画像データ出力先表示領域
３０ 制御装置
３４ 切替回路
３５ インターフェイス
５０ メモリ・カード
【図１】
2006166488.tif 000003
【図２】
2006166488.tif 000004
【図３】
2006166488.tif 000005
【図４】
2006166488.tif 000006
【図５】
2006166488.tif 000007
【図６】
2006166488.tif 000008
【図７】
2006166488.tif 000009
【図８】
2006166488.tif 000010
【手続補正書】
【提出日】平成18年2月21日(2006.2.21)
【手続補正１】
【補正対象書類名】特許請求の範囲
【補正対象項目名】全文
【補正方法】変更
【補正の内容】
【特許請求の範囲】
【請求項１】
対象画像を撮像し，対象画像を表す画像データを出力する撮像手段，
与えられる画像データを記憶する画像データ記憶手段，
与えられる画像データを外部に出力する外部出力ポート，
上記撮像手段から出力される画像データを上記画像データ記憶手段に与えるか上記外部出力ポートに与えるか，いずれかの画像データの出力先を選択する第１の選択手段，
上記第１の選択手段による選択に応じて上記撮像手段から出力される画像データを上記画像データ記憶手段または上記外部出力ポートに与える切替スイッチ，
上記撮像手段から出力される画像データを上記画像データ記憶手段に与えることまたは上記外部出力ポートに与えることのどちらが上記第１の選択手段によって選択されたかを表わす出力先情報を表示する表示装置，
画像データの出力先を自動的に決定するオート・モードを設定するオート・モード選択手段，ならびに
上記オート・モード選択手段によってオート・モードが設定されたときには，あらかじめ定められた優先順位にもとづいて上記切替スイッチの切替制御および上記表示装置の表示制御を行なうように上記切替スイッチおよび上記表示装置を制御する制御手段，
を備えたスキャナ。
【請求項２】
上記画像データ記憶手段がスキャナに着脱自在な画像メモリであり，スキャナに上記画像メモリが装着されているかどうかを検出する画像メモリ装着検出手段と，上記外部出力ポートに画像データ処理装置が接続されているかどうかを検出する画像データ処理装置接続検出手段とをさらに備え，上記制御手段は，上記画像メモリ装着検出手段による装着の検出の有無および上記画像データ処理装置接続検出手段による接続の検出の有無の少なくとも一方に基づいて上記切替スイッチおよび上記表示装置を制御するものである，請求項１に記載のスキャナ。
【請求項３】
上記外部出力ポートがスキャナの外部から与えられる画像データをスキャナ内部に取り込むことも可能な入出力ポートであり，
上記切替スイッチが，上記入出力ポートと上記画像データ記憶手段との間で画像データの転送が可能に切替可能なものであり，
上記入出力ポートに外部から与えられる画像データを上記画像データ記憶手段に与えることと，上記画像データ記憶手段に記憶されている画像データを読出し上記入出力ポートに与えることとのいずれかを選択する第２の選択手段，
上記第２の選択手段による選択に応じて，上記入出力ポートに与えられる画像データを上記画像データ記憶手段に与えること，または上記画像データ記憶手段に記憶されている画像データを読出し上記入出力ポートに与えることとを切替えるように上記切替スイッチを制御する切替制御手段，および
上記第２の選択手段による選択に応じて，上記入出力ポートと上記画像データ記憶手段との間での画像データの転送が選択されたことに関する情報を上記表示装置に表示させる第１の表示制御手段，
を備えた請求項１に記載のスキャナ。
【請求項４】
上記外部出力ポートに画像データ処理装置が接続されているかどうかを検出する画像データ処理装置接続検出手段，および
上記画像データ処理装置接続検出手段による接続の検出の有無に応じて，上記画像データ処理装置の接続の有無に関する情報を上記表示装置に表示させる第２の表示制御手段，
を備えた請求項１に記載のスキャナ。
【請求項５】
上記画像データ記憶手段がスキャナに着脱自在な画像メモリであり，
スキャナに上記画像メモリが装着されているかどうかを検出する画像メモリ装着検出手段，および
上記画像メモリ装着検出手段による装着の検出の有無に応じて，上記画像メモリの装着の有無に関する情報を上記表示装置に表示させる第３の表示制御手段，
を備えた請求項１に記載のスキャナ。
【請求項６】
上記撮像手段から出力される画像データを圧縮するデータ圧縮手段，および
上記第１の選択手段により画像データを上記画像データ記憶手段に与えることが選択されたときには，上記第１の選択手段により画像データを上記外部出力ポートに与えることが選択されたときに比べて高い圧縮率で画像データを圧縮するように上記データ圧縮手段を制御する圧縮制御手段を備え，
上記切替スイッチは，上記第１の選択手段による選択に応じて上記データ圧縮手段によって圧縮された画像データを上記画像データ記憶手段または上記外部出力ポートに与えるものである，
請求項１に記載のスキャナ。
【請求項７】
上記表示装置はさらに，上記画像データ記憶手段から上記外部出力ポートに接続される画像データ処理装置への，またはこの逆方向の画像データの転送が行なわれるときに，画像データの転送方向を表示するものである，請求項１に記載のスキャナ。
【請求項８】
対象画像を撮像し，対象画像を表す画像データを出力する撮像手段，与えられる画像データを記憶する画像データ記憶手段，および与えられる画像データを外部に出力する外部出力ポートを備えたスキャナにおいて，
上記撮像手段から出力される画像データを上記画像データ記憶手段に与えることと上記外部出力ポートに与えることとのいずれかの選択を許し，
選択に応じて上記撮像手段から出力される画像データを上記画像データ記憶手段または上記外部出力ポートに与えるように切替スイッチを制御し，
上記撮像手段から出力される画像データを上記画像データ記憶手段に与えることまたは上記外部出力ポートに与えることのどちらが選択されたかを表わす出力先情報を表示装置に表示し，
さらに画像データの出力先を自動的に決定するオート・モードを設定可能とし，
上記オート・モードが設定されたときには，あらかじめ定められた優先順位にもとづいて上記切替スイッチの切替制御および上記表示装置の表示制御を行なう，
スキャナの制御方法。
【請求項９】
上記画像データ記憶手段がスキャナに着脱自在な画像メモリであり，スキャナに上記画像メモリが装着されているかどうかを検出し，上記外部出力ポートに画像データ処理装置が接続されているかどうかを検出し，上記画像メモリの装着の検出の有無および上記画像データ処理装置の接続の検出の有無の少なくとも一方に基づいて上記切替スイッチの切替制御および上記表示装置の表示制御を行う，請求項８に記載のスキャナの制御方法。
【請求項１０】
上記外部出力ポートがスキャナの外部から与えられる画像データをスキャナ内部に取り込むことも可能な入出力ポートであり，
上記切替スイッチが，上記入出力ポートと上記画像データ記憶手段との間で画像データの転送が可能に切替可能なものであり，
上記入出力ポートに外部から与えられた画像データを上記画像データ記憶手段に与えることと，上記画像データ記憶手段に記憶されている画像データを読出し上記入出力ポートに与えることとのいずれかの選択を許し，
選択に応じて，上記入出力ポートに与えられる画像データを上記画像データ記憶手段に与えること，または上記画像データ記憶手段に記憶されている画像データを読出し上記入出力ポートに与えることとを切替えるように切替制御し，
選択に応じて，上記入出力ポートと上記画像データ記憶手段との間での画像データの転送が選択されたことに関する情報を上記表示装置に表示する，
請求項８に記載のスキャナの制御方法。
【請求項１１】
上記外部出力ポートに画像データ処理装置が接続されているかどうかを検出し，
接続の検出の有無に応じて，上記画像データ処理装置の接続の有無に関する情報を上記表示装置に表示する，
請求項８に記載のスキャナの制御方法。
【請求項１２】
上記画像データ記憶手段がスキャナに着脱自在な画像メモリであり，
スキャナに上記画像メモリが装着されているかどうかを検出し，
装着の検出の有無に応じて，上記画像メモリの装着の有無に関する情報を上記表示装置に表示する，
請求項８に記載のスキャナの制御方法。
【請求項１３】
画像データを上記画像データ記憶手段に与えることが選択されたときには，画像データを上記外部出力ポートに与えることが選択されたときに比べて高い圧縮率で画像データを圧縮し，
選択に応じて，データ圧縮された画像データを上記画像データ記憶手段または上記外部出力ポートに与えるものである，
請求項８に記載のスキャナの制御方法。
【請求項１４】
上記画像データ記憶手段から上記外部出力ポートに接続される画像データ処理装置への，またはこの逆方向の画像データの転送が行なわれるときに，画像データの転送方向を上記表示装置に表示するものである，請求項８に記載のスキャナの制御方法。
【手続補正２】
【補正対象書類名】明細書
【補正対象項目名】０００７
【補正方法】変更
【補正の内容】
【０００７】
この発明によるスキャナは，対象画像を撮像し，対象画像を表す画像データを出力する撮像手段，与えられる画像データを記憶する画像データ記憶手段，与えられる画像データを外部に出力する外部出力ポート，上記撮像手段から出力される画像データを上記画像データ記憶手段に与えるか上記外部出力ポートに与えるか，いずれかの画像データの出力先を選択する第１の選択手段，上記第１の選択手段による選択に応じて上記撮像手段から出力される画像データを上記画像データ記憶手段または上記外部出力ポートに与える切替スイッチ，上記撮像手段から出力される画像データを上記画像データ記憶手段に与えることまたは上記外部出力ポートに与えることのどちらが上記第１の選択手段によって選択されたかを表わす出力先情報を表示する表示装置，画像データの出力先を自動的に決定するオート・モードを設定するオート・モード選択手段，ならびに上記オート・モード選択手段によってオート・モードが設定されたときには，あらかじめ定められた優先順位にもとづいて上記切替スイッチの切替制御および上記表示装置の表示制御を行なうように上記切替スイッチおよび上記表示装置を制御する制御手段を備えていることを特徴とする。
【手続補正３】
【補正対象書類名】明細書
【補正対象項目名】０００８
【補正方法】変更
【補正の内容】
【０００８】
この発明は，上記スキャナに適した制御方法も提供している。すなわち，この発明による制御方法は，対象画像を撮像し，対象画像を表す画像データを出力する撮像手段，与えられる画像データを記憶する画像データ記憶手段，および与えられる画像データを外部に出力する外部出力ポートを備えたスキャナにおいて，上記撮像手段から出力される画像データを上記画像データ記憶手段に与えることと上記外部出力ポートに与えることとのいずれかの選択を許し，選択に応じて上記撮像手段から出力される画像データを上記画像データ記憶手段または上記外部出力ポートに与えるように切替スイッチを制御し，上記撮像手段から出力される画像データを上記画像データ記憶手段に与えることまたは上記外部出力ポートに与えることのどちらが選択されたかを表わす出力先情報を表示装置に表示し，さらに画像データの出力先を自動的に決定するオート・モードを設定可能とし，上記オート・モードが設定されたときには，あらかじめ定められた優先順位にもとづいて上記切替スイッチの切替制御および上記表示装置の表示制御を行なうものである。
【手続補正４】
【補正対象書類名】明細書
【補正対象項目名】０００９
【補正方法】変更
【補正の内容】
【０００９】
この発明によると，対象画像を撮像することによって得られる画像データは上記画像データ記憶手段に記憶でき，かつ上記外部出力ポートから外部に出力することが可能である。上記外部出力ポートには画像データ処理装置（コンピュータ装置）が接続されたときには，上記外部出力ポートから出力される画像データはコンピュータ装置に入力し，記憶されることとなろう。
【手続補正５】
【補正対象書類名】明細書
【補正対象項目名】００１１
【補正方法】変更
【補正の内容】
【００１１】
さらに，上記第１の選択手段によって撮像により得られた画像データを上記画像データ記憶手段に与えることが選択されたか，上記外部出力ポートに与えることが選択されたかを表わす出力先情報が表示装置に表示される。表示装置の表示を見るだけで，撮像によって得られた画像データが上記画像データ記憶手段に記憶されるのか，上記外部出力ポートから出力されるのかの出力先が一見して分かる。
【手続補正６】
【補正対象書類名】明細書
【補正対象項目名】００１２
【補正方法】変更
【補正の内容】
【００１２】
さらにオート・モードを設定するモード設定手段が設けられ，上記モード設定手段によってオート・モードが設定されたときには，あらかじめ定められた優先順位にもとづいて上記切替スイッチの切替制御および上記表示装置の表示制御が行なわれる。
【手続補正７】
【補正対象書類名】明細書
【補正対象項目名】００１７
【補正方法】変更
【補正の内容】
【００１７】
さらに好ましくは，上記外部出力ポートがスキャナの外部から与えられる画像データをスキャナ内部に取り込むことも可能な入出力ポートであり，上記切替スイッチが，上記入出力ポートと上記画像データ記憶手段との間で画像データの転送が可能に切替可能なものであり，上記入出力ポートに外部から与えられる画像データを上記画像データ記憶手段に与えることと，上記画像データ記憶手段に記憶されている画像データを読出し上記入出力ポートに与えることとのいずれかを選択し，選択に応じて，上記入出力ポートに与えられる画像データを上記画像データ記憶手段に与えること，または上記画像データ記憶手段に記憶されている画像データを読出し上記入出力ポートに与えることとを切替えるように切替制御し，選択に応じて，上記入出力ポートと上記画像データ記憶手段との間での画像データの転送が選択されたことに関する情報を表示装置に表示する。
【手続補正８】
【補正対象書類名】明細書
【補正対象項目名】００１９
【補正方法】変更
【補正の内容】
【００１９】
この場合であっても，上記入出力ポートと上記画像データ記憶手段との間で画像データの転送が選択されたことに関する情報，特に転送方向を表わす情報が表示装置に表示される。スキャナとスキャナに接続されたコンピュータ装置との間で画像データの転送が行われることが一見して分かる。